(57)【特許請求の範囲】
【請求項１】
給餌槽内に挿通させた懸垂杆の中間部に薄肉状の仕切板を配設し、この仕切板を前記給餌槽内に略水平状に配置すると共に、前記仕切板の周端縁と前記給餌槽の内壁面との間に狭い間隙を画成し、前記懸垂杆の下端部を前記給餌槽の下端開口より突出させてなる餌排出機構を構成し、豚が鼻、口で前記懸垂杆の下端部を押圧して揺動させることによって、前記仕切板も前後左右に揺動することを特徴とする養豚用給餌器。
【請求項２】
給餌槽内に挿通させた懸垂杆の中間部に薄肉状の仕切板を配設し、この仕切板を前記給餌槽内に略水平状に配置すると共に、前記仕切板の周端縁と前記給餌槽の内壁面との間に狭い間隙を画成し、前記懸垂杆の下端部に餌排出部材を連結してなる餌排出機構を構成し、豚が鼻、口で前記餌排出部材を押圧して揺動させることによって、前記仕切板も前後左右に揺動することを特徴とする養豚用給餌器。
【請求項３】
前記餌排出部材は、下方に向かって漸次拡径した筒状の餌排出筒状体であることを特徴とする請求項２に記載の養豚用給餌器。
【請求項４】
前記餌排出筒状体は、その下端部に周方向に所定間隔で小形の切欠を形成したことを特徴とする請求項３に記載の養豚用給餌器。
【請求項５】
前記仕切板は、その周端縁に向かって下方傾斜する傾斜面を有することを特徴とする請求項１乃至４の何れか１項に記載の養豚用給餌器。
【請求項６】
前記仕切板は、多数の小孔を穿設したものであることを特徴とする請求項１乃至５の何れか１項に記載の養豚用給餌器。
【発明の詳細な説明】
【０００１】
【発明の属する技術分野】
本発明は、豚に餌を与えるのに好適な養豚用給餌器に関する。
【０００２】
【従来の技術】
従来の養豚用給餌器はいずれも、給餌槽下部を漸次小径又は幅狭としていたので、重力により餌を自然落下させるものにあっては、給餌槽下部の餌がブリッジ状になり易く、給餌槽下端の餌排出口から餌が排出されない虞れがあった。
又、給餌槽内に攪拌器を設けて餌の落下を助長するものにあっては、餌がブリッジ状になるのをかなりの程度防止できるが、動力源が必要となるとともに、給餌槽内の清掃が面倒であった。
【０００３】
かかる問題点を解消すべく、図２１に示すように、上端部を固定し、給餌槽４０２内を挿通し、下端部を給餌槽４０２の下端開口４０２ａより突出させた懸垂軸４０３を設け、この懸垂軸４０３の下端部に餌受板４０４を回転自在に取り付けた養豚用給餌器４０１が提案されている（実開平５−３９２５６号公報）。
この養豚用給餌器４０１によれば、豚が鼻、口により餌受板４０４を押圧することにより、懸垂軸４０３が揺動するとともに餌受板４０４が回転又は揺動するため、給餌槽４０２内の餌Ａは攪拌されてブリッジ状になり難く、給餌槽４０２の下端開口４０２ａより比較的スムーズに排出されて底皿４０５内に落下する。
【０００４】
【発明が解決しようとする課題】
しかし、上記養豚用給餌器４０１においても、給餌槽４０２の下部は漸次小径であり、餌受板４０４は平坦な円板状であり、下端開口４０２ａの間隙は狭いため、餌Ａの重量によって給餌槽４０２の下端部ではどうしても餌Ａが凝集し易く、ブリッジ及びそれに起因する巣（空間）Ｂの発生を完全には防止できず、下端開口４０２ａにおいて餌Ａが詰まったり、ボタ落ちし易く、適量の餌Ａを良好に排出するのは困難であった。従って、頻繁に餌受板４０４及び給餌槽４０２の下端部を清掃する必要があった。
【０００５】
本発明は、かかる問題点に鑑みて為されたものであり、給餌槽の下端部でブリッジ及びそれに起因する巣（空間）の発生を略完全に防止し、下端開口において餌が詰まったり、ボタ落ちすることなく、適量の餌を良好に排出することができ、頻繁に給餌槽の下端部等を清掃することを不要とし、しかも、構造が簡単で安価な養豚用給餌器を提供することを目的とする。
【０００６】
【課題を解決するための手段】
上記目的を達成するために、本発明の養豚用給餌器は、給餌槽内に挿通させた懸垂杆の中間部に薄肉状の仕切板を配設し、この仕切板を前記給餌槽内に略水平状に配置すると共に、前記仕切板の周端縁と前記給餌槽の内壁面との間に狭い間隙を画成し、前記懸垂杆の下端部を前記給餌槽の下端開口より突出させてなる餌排出機構を構成し、豚が鼻、口で前記懸垂杆の下端部を押圧して揺動させることによって、前記仕切板も前後左右に揺動することを特徴とするものである。
【０００７】
又、本発明の養豚用給餌器は、給餌槽内に挿通させた懸垂杆の中間部に薄肉状の仕切板を配設し、この仕切板を前記給餌槽内に略水平状に配置すると共に、前記仕切板の周端縁と前記給餌槽の内壁面との間に狭い間隙を画成し、前記懸垂杆の下端部に餌排出部材を連結してなる餌排出機構を構成し、豚が鼻、口で前記餌排出部材を押圧して揺動させることによって、前記仕切板も前後左右に揺動することを特徴とするものである。
【０００８】
かかる構成によれば、ブリッジ及びそれに起因する巣（空間）も発生せず、しかも、仕切板の下方へ餌が流動するのを阻害する下方からの圧力はなく、餌の前後左右への激しい振動によっても流動を促進されて、餌はその間隙からスムーズに下方に流動、落下する。
【０００９】
ここで、前記餌排出部材は、下方に向かって漸次拡径した筒状の餌排出筒状体であってもよい。
【００１０】
さらに、前記餌排出筒状体の下端部に周方向に所定間隔で小形の切欠を形成すれば、餌をよりスムーズに流出させるとともに、切欠が凝固した餌を掻き出す作用を奏し、餌排出口を閉塞させない。
【００１１】
前記仕切板を、その周端縁に向かって下方傾斜する傾斜面を有するものとすれば、給餌槽内の餌を無駄なく使用することができるとともに、餌をよりスムーズに排出させることができる。
【００１２】
又、前記仕切板に多数の小孔を穿設すれば、穿設された小孔からも餌がスムーズに下方に流動し、落下する。
【００１３】
【発明の実施の形態】
以下、本発明の養豚用給餌器の好適な実施形態について、図面を参照して詳細に説明する。
【００１４】
図１に示すものは、本発明の一実施例の養豚用給餌器１であり、給餌器筐体２、給餌槽３、餌排出機構４及び餌排出量調整機構５からなる。
【００１５】
給餌器筐体２は、底皿部６の周囲に周壁部７を立設してなり、底皿部６の中央部に平胆な隆起部８を形成し、さらに、図２に示すように、隆起部８の中央部に山状の膨出部９を形成してある。
【００１６】
給餌槽３は、円筒状部１０の下端に下方に向かって漸次縮径した円錐状部１１を接続し、さらに、円錐状部１１の下端に餌落下筒状部１２を接続してあり、円筒状部１０を前記周壁部７の上半部に固着してある。
【００１７】
餌排出機構４は、給餌槽３内の略中央部を挿通させた懸垂杆１３の中間部に薄肉円板状の仕切板１４を配設し、下端部に連結片１５，１５，１５を介して下方に向かって漸次拡径した餌排出筒状体１６を連結してある。
仕切板１４は、図２に示すように、前記円錐状部１１内の適宜位置に略水平状に配置し、仕切板１４の周端縁と円錐状部１１の内壁面との間には所定の間隙ａを画成してある。
餌排出筒状体１６は、その上端を前記餌落下筒状部１２の下端より上方に位置させてあり、その下端、前記隆起部８及び前記膨出部９とにより餌排出口１７を画成してある。
【００１８】
餌排出量調整機構５は、前記懸垂杆１３の上端部に固着したナット１８にボルト１９を螺合させ、そのボルト１９の頭部１９ａに円筒状体２０を固着し、その円筒状体２０に調整ハンドル２１の基端部２１ａを挿通させてある。
ボルト１９は、図１及び図２に示すように、給餌槽３の円筒状部１０の内壁面に両端部を固着して架設した支持杆２２の中央部を挿通させ、上下移動、左右揺動を防止するためナット２３を締結してあり、回転のみ自在となっている。
調整ハンドル２１は、図３に示すように、基端部２１ａより折曲して連結部２１ｂを接続し、さらに、折曲して把持部２１ｃを接続してある。
【００１９】
養豚用給餌器１を使用する際には、調整ハンドル２１の把持部２１ｃを手指で摘んで適宜回転させ、ボルト１９を回転させることにより、それと螺合した懸垂杆１３を昇降動させて、餌Ａの種類、環境条件に適応させるよう、仕切板１４及び餌排出筒状体１６の位置を適宜設定する。
通常時は、仕切板１４の周端縁と円錐状部１１の内壁面との間隙ａを比較的に狭くし、この間隙ａから餌Ａが殆ど下方に流動しないようにしておく。すなわち、仕切板１４より下方の円錐状部１１内、餌落下筒状部１２内、餌排出筒状体１６内には殆ど餌Ａが存在しない空洞状態Ｃになるようにしておく。
【００２０】
図２に示すように、豚が鼻、口により餌排出筒状体１６を押圧して激しく揺動させれば、仕切板１４も前後左右に激しく揺動して、仕切板１４の周端縁と円錐状部１１の内壁面との間隙ａが絶え間なく広狭変化するから、又、仕切板１４の上方付近の餌Ａも前後左右に激しく振動するから、餌Ａはその間隙ａから円錐状部１１に沿って下方に流動し、餌落下筒状部１２を通過して餌排出筒状体１６内に流入し、さらに、隆起部８の傾斜面に沿って流動し、餌排出口１７から流出して底皿部６内に堆積する。
【００２１】
養豚用給餌器１においても、仕切板１４の上方付近の餌Ａには圧力が負荷されるが、仕切板１４付近の円錐状部１１の内径は従来の給餌槽の下端部におけるほど小径ではないから、その圧力は比較的に低いものであり、餌Ａを殆ど凝集させるまでに至らず、又、仕切板１４の激しい揺動にともなって仕切板１４の上方付近の餌Ａも前後左右に激しく振動するから、餌Ａが凝集したとしても細分化する効果があり、さらに、餌Ａは仕切板１４の周端縁と円錐状部１１の内壁面との間隙ａから下方に流動するから、餌Ａに負荷される圧力を周囲に拡散する効果もあり、ブリッジ及びそれに起因する巣（空間）を略完全に発生させない。
しかも、通常時には仕切板１４の下方は餌Ａが殆ど存在しない空洞状態Ｃであるから、仕切板１４が揺動して仕切板１４の周端縁と円錐状部１１の内壁面との間隙ａが広狭変化しさえすれば、仕切板１４の下方へ餌Ａが流動するのを阻害する下方からの圧力はなく、餌Ａの前後左右への激しい振動によっても流動を促進されて、餌Ａはその間隙ａからスムーズに下方に流動する。
【００２２】
図４に示すものは、本発明の他実施例の養豚用給餌器３１であり、養豚用給餌器１と同様に、給餌器筐体３２、給餌槽３３、餌排出機構３４及び餌排出量調整機構３５からなるが、さらに、給水管３６，３６も付設してある。
【００２３】
給餌器筐体３２は、底皿部３７の両側に側壁部３８，３８を立設してなり、底皿部３７の中央部に平胆な隆起部３９を形成し、さらに、隆起部３９の中央部に山状の膨出部４０を形成してある。
尚、底皿部３７の両側部には水受部４１，４１を形成してあり、側壁部３８，３８に前記給水管３６，３６を沿わせ、水受部４１，４１に給水管３６，３６の下端部に固着した給水口４２，４２を臨ませてある。
【００２４】
給餌槽３３は、下方に向かって漸次縮径した角錐状部４３の下端に餌落下筒状部４４を接続してあり、角錐状部４３の上端部を前記側壁部３８，３８の上端部に固着してある。
【００２５】
餌排出機構３４は、給餌槽３３内の略中央部を挿通させた懸垂杆４５の中間部に薄肉矩形状の仕切板４６を配設し、下端部に連結片４７，４７，４７を介して下方に向かって漸次拡径した餌排出筒状体４８を連結してある。
仕切板４６は、図４に示すように、前記角錐状部４３内の適宜位置に略水平状に配置し、仕切板４６の周端縁と角錐状部４３の内壁面との間には所定の間隙ｂを画成してある。
餌排出筒状体４８は、その上端を前記餌落下筒状部４４の下端より上方に位置させてあり、その下端、前記隆起部３９及び前記膨出部４０とにより餌排出口４９を画成してある。
【００２６】
餌排出量調整機構３５は、図１の養豚用給餌器１における餌排出量調整機構５と同様の構成であるので、各構成部材については、餌排出量調整機構５と同一の符号を使用する。
【００２７】
養豚用給餌器３１を使用する際の仕切板４６及び餌排出筒状体４８の位置設定の方法、及び、豚が鼻、口により餌排出筒状体４８を押圧して揺動させた場合の作用、効果は、養豚用給餌器１におけると同様である。
【００２８】
図５に示すものは、本発明の他実施例の養豚用給餌器５１であり、養豚用給餌器１と同様に、給餌器筐体５２、給餌槽５３、餌排出機構５４及び餌排出量調整機構５５からなる。
【００２９】
給餌器筐体５２は、底皿部５６の両側に側壁部５７，５７を立設し、背面に後壁部５８を立設してなる。
【００３０】
給餌槽５３は、上側前壁部５９、傾斜壁部６０、下側前壁部６１、前記側壁部５７，５７、及び前記後壁部５８から画成されてなり、中間部までは下方に向かって漸次幅狭とし、下端部までは略同一幅としてある。
【００３１】
餌排出機構５４は、給餌槽５３内の略中央部を挿通させた懸垂杆６２の中間部に薄肉矩形状の仕切板６３を配設し、下端部に薄肉矩形状の餌排出規制板６４の略中央上端部を固着してある。
仕切板６３は、図５に示すように、給餌槽５３内の適宜位置に略水平状に配置し、仕切板６３の周端縁と給餌槽５３の内壁面との間には所定の間隙ｃを画成してある。
餌排出規制板６４は、両側下端部にＵ字型の作用杆６５，６５を固着してあり、その上端を前記下側前壁部６１の下端より上方に位置させてあり、その下端、前記側壁部５７，５７及び前記底皿部５６の上面とにより餌排出口６６を画成してある。
【００３２】
餌排出量調整機構５５は、図１の養豚用給餌器１における餌排出量調整機構５と同様の構成であるので、各構成部材については、餌排出量調整機構５と同一の符号を使用する。
【００３３】
養豚用給餌器５１を使用する際には、調整ハンドル２１を適宜回転させて懸垂杆６２を昇降動させ、餌Ａの種類、環境条件に適応させるよう、仕切板６３及び餌排出規制板６４の位置を適宜設定する。
通常時は、仕切板６３の周端縁と給餌槽５３の内壁面との間隙ｃを比較的に狭くし、この間隙ｃから餌Ａが殆ど下方に流動しないようにしておく。すなわち、仕切板６３より下方の給餌槽５３内には殆ど餌Ａが存在しない空洞状態Ｃになるようにしておく。
尚、餌排出規制板６４を低い位置に設定すれば、図６（Ａ）に示すように、餌排出口６６の間隙ｈ1 、餌排出規制板６４の揺動範囲ともに狭くなるので、餌排出口６６から流出する餌Ａは少量となり、高い位置に設定すれば、図６（Ｂ）に示すように、餌排出口６６の間隙ｈ2 、餌排出規制板６４の揺動範囲ともに広くなるので、餌排出口６６から流出する餌Ａは多量となる。
【００３４】
豚が鼻、口により作用杆６５，６５を押圧して餌排出規制板６４を激しく揺動させれば、仕切板６３も激しく左右に揺動して、仕切板６３の周端縁と給餌槽５３の内壁面との間隙ｃが絶え間なく広狭変化するから、又、仕切板６３の上方付近の餌Ａが前後左右に激しく振動するから、餌Ａはその間隙ｃから下方に落下し、餌排出口６６から流出して底皿部５６内に堆積する。
【００３５】
養豚用給餌器５１において、ブリッジ及びそれに起因する巣（空間）が発生せず、餌Ａがその間隙ｃからスムーズに下方に流動する理由は、養豚用給餌器１におけると同様である。
【００３６】
図７に示すものは、本発明の他実施例の養豚用給餌器１０１であるが、餌排出機構１０２の仕切板１０３以外の構成は養豚用給餌器１と同様である。よって、同様の構成部材については、養豚用給餌器１におけると同一の符号を使用する。
【００３７】
仕切板１０３は、図７に示すように、薄肉の円板部１０４の周端縁に薄肉の折曲部１０５，１０５，１０５を接続してなり、折曲部１０５，１０５，１０５の折曲角度は円錐状部１１の傾斜角度と略一致させてある。
又、円板部１０４及び折曲部１０５，１０５，１０５には適宜間隔で多数の小孔１０４ａ，１０５ａを穿設してあるが、これら小孔１０４ａ，１０５ａは、通常時には餌が容易に通過しない適宜孔径としてある。
仕切板１０３も懸垂杆１３の中間部に配設するが、円錐状部１１と餌落下筒状部１２との接続部付近に、円板部１０４を略水平状に、折曲部１０５，１０５，１０５を円錐状部１１の内壁面に略当接させて配置してあり、円板部１０４の周端縁と円錐状部１１の内壁面との間隙ｄを比較的に狭くしてある。
【００３８】
養豚用給餌器１０１を使用する際には、調整ハンドル２１を適宜回転させて懸垂杆１３を昇降動させ、餌Ａの種類、環境条件に適応させるよう、仕切板１０３及び餌排出筒状体１６の位置を適宜設定する。
通常時は、円板部１０４の周端縁と円錐状部１１の内壁面との間隙ｄを比較的に狭くし、この間隙ｄから餌Ａが殆ど下方に流動しないようにしておく。すなわち、仕切板１０３より下方の円錐状部１１内、餌落下筒状部１２内、餌排出筒状体１６内には殆ど餌Ａが存在しない空洞状態Ｃになるようにしておく。
【００３９】
図８に示すように、豚が鼻、口により餌排出筒状体１６を押圧して激しく揺動させれば、仕切板１０３も前後左右に激しく揺動して、円板部１０４の周端縁と円錐状部１１の内壁面との間隙ｄが絶え間なく広狭変化するから、又、仕切板１０３の上方付近の餌Ａが円板部１０４の揺動によって前後左右に激しく振動するとともに、折曲部１０５，１０５，１０５の揺動によって激しく攪拌されるから、餌Ａはその間隙ｄから、又、小孔１０４ａ，１０５ａから下方に落下し、餌落下筒状部１２を通過して餌排出筒状体１６内に流入し、さらに、隆起部８の傾斜面に沿って流動し、餌排出口１７から流出して底皿部６内に堆積する。
【００４０】
養豚用給餌器１０１においても、仕切板１０３の上方付近の餌Ａには圧力が負荷されるが、仕切板１０３付近の円錐状部１１の内径は従来の給餌槽の下端部におけるほど小径ではないから、その圧力は比較的に低いものであり、餌Ａを殆ど凝集させるまでに至らず、又、仕切板１０３の激しい揺動にともなって仕切板１０３の上方付近の餌Ａが前後左右に激しく振動するとともに、激しく攪拌されるから、餌Ａが凝集したとしても細分化、ヒビ割れさせる効果があり、さらに、餌Ａは仕切板１０３の周端縁と円錐状部１１の内壁面との間隙ａ、又は小孔１０４ａ，１０５ａから下方に流動するから、餌Ａに負荷される圧力を周囲に拡散する効果もあり、ブリッジ及びそれに起因する巣（空間）を略完全に発生させない。
しかも、通常時には仕切板１０３の下方は餌Ａが殆ど存在しない空洞状態Ｃであるから、仕切板１０３が揺動して円板部１０４の周端縁と円錐状部１１の内壁面との間隙ｄが広狭変化しさえすれば、仕切板１０３の下方へ餌Ａが流動するのを阻害する下方からの圧力はなく、餌Ａの前後左右への激しい振動、攪拌によっても流動を促進されて、餌Ａはその間隙ａ又は小孔１０４ａ，１０５ａからスムーズに下方に落下する。
【００４１】
図９に示すものは、本発明の他実施例の養豚用給餌器１３１であるが、餌排出機構１３２の仕切板１３３以外の構成は養豚用給餌器３１と同様である。よって、同様の構成部材については、養豚用給餌器３１におけると同一の符号を使用する。
【００４２】
仕切板１３３は、図９に示すように、薄肉の矩形部１３４の周端縁に薄肉の折曲部１３５，１３５を接続してなり、折曲部１３５，１３５の折曲角度は角錐状部４３の傾斜角度と略一致させてある。
又、矩形部１３４及び折曲部１３５，１３５には適宜間隔で多数の小孔１３４ａ，１３５ａを穿設してあるが、これら小孔１３４ａ，１３５ａは、通常時には餌が容易に通過しない適宜孔径としてある。
仕切板１３３も懸垂杆４５の中間部に配設するが、角錐状部４３と餌落下筒状部４４との接続部付近に、矩形部１３４を略水平状に、折曲部１３５，１３５を角錐状部４３の内壁面に略当接させて配置してあり、矩形部１３４の周端縁と角錐状部４３の内壁面との間隙ｅを比較的に狭くしてある。
【００４３】
養豚用給餌器１３１を使用する際の仕切板１３３及び餌排出筒状体４８の位置設定の方法、及び、豚が鼻、口により餌排出筒状体４８押圧して揺動させた場合の作用、効果は、養豚用給餌器１０１におけると同様である。
【００４４】
図１１に示すものは、本発明の他実施例の養豚用給餌器１５１であるが、餌排出機構１５２の仕切板１５３以外の構成は養豚用給餌器５１と同様である。よって、同様の構成部材については、養豚用給餌器５１におけると同一の符号を使用する。
【００４５】
仕切板１５３は、図１１に示すように、薄肉矩形状であり、適宜間隔で多数の小孔１５３ａを穿設してあるが、これら小孔１５３ａは、通常時には餌が容易に通過しない適宜孔径としてある。
仕切板１５３も懸垂杆６２の中間部に配設するが、傾斜壁部６０と下側前壁部６１との接続部付近の給餌槽５３内に、略水平状に配置してあり、その周端縁と給餌槽５３の内壁面との間隙ｆを比較的に狭くしてある。
【００４６】
養豚用給餌器１５１を使用する際の仕切板１５３及び餌排出規制板６４の位置設定の方法は、養豚用給餌器５１におけると略同様であり、豚が鼻、口により餌排出規制板６４を揺動させた場合の作用、効果は、養豚用給餌器１０１におけると略同様である。
【００４７】
図１２に示すものは、本発明の他実施例の養豚用給餌器２０１であるが、餌排出機構２０２の仕切板２０３、餌排出筒状体２０４以外の構成は養豚用給餌器１と同様である。よって、同様の構成部材については、養豚用給餌器１におけると同一の符号を使用する。
【００４８】
仕切板２０３は、図１２及び図１３に示すように、周端縁に向かって下方傾斜した薄肉円錐状のものである。仕切板２０３も懸垂杆１３の中間部に固定し、円錐状部１１内の適宜位置に略水平状に配置し、仕切板２０３の周端縁と円錐状部１１の内壁面との間には所定の間隙ｇを画成してある。
【００４９】
餌排出筒状体２０４は、同様に、下方に向かって漸次拡径した薄肉筒状のものであるが、図１４に示すように、下端部に周方向に所定間隔で小形の矩形状切欠２０５を形成してある。
【００５０】
養豚用給餌器２０１を使用する際には、調整ハンドル２１を適宜回転させて懸垂杆１３を昇降動させ、餌Ａの種類、環境条件に適応させるよう、仕切板２０３及び餌排出筒状体２０４の位置を適宜設定する。
通常時は、仕切板２０３の周端縁と円錐状部１１の内壁面との間隙ｇを比較的に狭くし、この間隙ｇから餌Ａが殆ど下方に流動しないようにしておく。すなわち、仕切板２０３より下方の円錐状部１１内、餌落下筒状部１２内、餌排出筒状体２０４内には殆ど餌Ａが存在しない空洞状態Ｃになるようにしておく。
【００５１】
図１３に示すように、豚が鼻、口により餌排出筒状体２０４を押圧して激しく揺動させれば、仕切板２０３も前後左右に激しく揺動して、仕切板２０３の周端縁と円錐状部１１の内壁面との間隙ｇが絶え間なく広狭変化するから、又、仕切板２０３の上方付近の餌Ａが前後左右に激しく振動するとともに、仕切板２０３の傾斜面に沿った荷重が付加されるから、餌Ａはその間隙ｇから円錐状部１１に沿って下方に流動し、餌落下筒状部１２を通過して餌排出筒状体２０４内に流入し、さらに、隆起部８の傾斜面に沿って流動し、餌排出口１７及び切欠２０５から流出して底皿部６内に堆積する。
【００５２】
養豚用給餌器２０１においても、仕切板２０３の上方付近の餌Ａには圧力が負荷されるが、仕切板２０３付近の円錐状部１１の内径は従来の給餌槽の下端部におけるほど小径ではないから、その圧力は比較的に低いものであり、餌Ａを殆ど凝集させるまでに至らず、又、仕切板２０３の激しい揺動にともなって仕切板２０３の上方付近の餌Ａが前後左右に激しく振動するから、餌Ａが凝集したとしても細分化、ヒビ割れさせる効果があり、さらに、餌Ａには仕切板２０３の傾斜面に沿った荷重が付加され、仕切板２０３の周端縁と円錐状部１１の内壁面との間隙ｇから下方に流動するから、餌Ａに負荷される圧力を周囲に拡散する効果もあり、ブリッジ及びそれに起因する巣（空間）を略完全に発生させない。
しかも、通常時には仕切板２０３の下方は餌Ａが殆ど存在しない空洞状態Ｃであるから、仕切板２０３が揺動して仕切板２０３の周端縁と円錐状部１１の内壁面との間隙ｇが広狭変化しさえすれば、仕切板２０３の下方へ餌Ａが流動するのを阻害する下方からの圧力はなく、餌Ａの前後左右への激しい振動、仕切板２０３の傾斜面に沿った荷重によっても流動を促進されて、餌Ａはその間隙ｇからスムーズに下方に流動する。
【００５３】
又、養豚用給餌器１の仕切板１４は円板状であり、養豚用給餌器１０１の仕切板１０３は円板部１０４を有するから、仕切板１４，１０３上にどうしても餌Ａが残存してしまうが、養豚用給餌器２０１の仕切板２０３は傾斜面を有する円錐状であるから、仕切板２０３上に餌Ａが残存することはなく、給餌槽３内の餌Ａを無駄なく使用するとができる。
さらに、仕切板２０３は傾斜面を有するから、仕切板２０３の上方にある餌Ａの重量は傾斜面方向に分散されて、餌排出筒状体２０４をより小さな力で揺動させることができ、餌Ａをよりスムーズに排出させることができる。
【００５４】
又、養豚用給餌器１，１０１の餌排出筒状体１６は、下端が単なる円形状端縁であるから、給餌槽３内にある餌Ａが少量となって、仕切板１４，１０３にかかる荷重が小さくなり、餌排出筒状体１６をより小さな力で揺動できるようになると、仕切板１４，１０３の周端縁と円錐状部１１の内壁面との間隙ａ，ｄから下方に流動する餌Ａの量が増大し、餌排出筒状体１６の下端内部に餌Ａが堆積し易くなり、豚の唾液、水等により餌Ａが凝固して固着し、餌排出口１７を閉塞してしまう虞れがある。
しかし、養豚用給餌器２０１の餌排出筒状体２０４は、下端部に周方向に所定間隔で小形の矩形状切欠２０５を形成してあるから、餌排出筒状体２０４内に流入した餌Ａは直ちに餌排出口１７及び切欠２０５から流出して、餌排出筒状体２０４の下端内部に餌Ａが堆積することは殆どない。又、餌排出筒状体２０４の下端内部で例え餌Ａが凝固したとしても、餌排出筒状体２０４の揺動によって切欠２０５が凝固した餌Ａを掻き出す作用を奏し、餌排出口１７を閉塞するまでには至らない。
よって、矩形状切欠２０５は餌Ａの流出を制御するとともに、固着を防止する役割を果たし、その形状、寸法、間隔等を適宜決定することによって、粉状、粒状いずれの餌Ａをもスムーズに餌排出口１７から流出させることができる。
【００５５】
図１５に示すものは、本発明の他実施例の養豚用給餌器２３１であるが、餌排出機構２３２の仕切板２３３、餌排出筒状体２３４以外の構成は養豚用給餌器３１と同様である。よって、同様の構成部材については、養豚用給餌器３１におけると同一の符号を使用する。
【００５６】
仕切板２３３は、図１５に示すように、周端縁に向かって下方傾斜した薄肉角錐状のものである。仕切板２３３も懸垂杆４５の中間部に固定し、角錐状部４３内の適宜位置に略水平状に配置し、仕切板２３３の周端縁と角錐状部４３の内壁面との間には所定の間隙ｉを画成してある。
【００５７】
餌排出筒状体２３４は、同様に、下方に向かって漸次拡径した薄肉筒状のものであるが、図１５に示すように、下端部に周方向に所定間隔で小形の矩形状切欠２３５を形成してある。
【００５８】
養豚用給餌器２３１を使用する際の仕切板２３３及び餌排出筒状体２３４の位置設定の方法、及び、豚が鼻、口により餌排出筒状体２３４を押圧して揺動させた場合の作用、効果は、養豚用給餌器２０１におけると同様である。
【００５９】
図１６に示すものは、本発明の他実施例の養豚用給餌器２５１であるが、餌排出機構２５２の仕切板２５３以外の構成は養豚用給餌器５１と同様である。よって、同様の構成部材については、養豚用給餌器５１におけると同一の符号を使用する。
【００６０】
仕切板２５３は、図１６に示すように、前、後端縁に向かって下方傾斜した薄肉山形状のものである。仕切板２５３も懸垂杆６２の中間部に固定し、傾斜壁部６０と下側前壁部６１との接続部付近の給餌槽５３内に略水平状に配置し、仕切板２５３の周端縁と給餌槽５３の内壁面との間には所定の間隙ｊを画成してある。
【００６１】
養豚用給餌器２５１を使用する際の仕切板２５３及び餌排出規制板６４の位置設定の方法は、養豚用給餌器５１におけると略同様であり、豚が鼻、口により餌排出規制板６４を揺動させた場合の作用、効果は、養豚用給餌器２０１におけると略同様である。
【００６２】
図１７に示すものは、本発明の他実施例の養豚用給餌器３０１であるが、餌排出機構３０２において、餌排出筒状体２０４を有さず、よって、連結片１５，１５，１５をも有さない以外は、養豚用給餌器２０１と同様の構成である。よって、同様の構成部材については、養豚用給餌器２０１におけると同一の符号を使用する。
【００６３】
養豚用給餌器３０１を使用する際の仕切板２０３の位置設定の方法、及び、豚が鼻、口により懸垂杆１３を押圧して揺動させた場合の作用、効果は、養豚用給餌器２０１におけると同様である。
【００６４】
養豚用給餌器２０２は餌排出筒状体２０４を有するから、相当長期に渡って使用すると、餌排出口１７を閉塞するまでには至らなくとも、どうしても、餌排出筒状体２０４の下端内部に餌Ａが堆積し、豚の唾液、水等により餌Ａが凝固して固着する虞れもなくはない。
しかし、養豚用給餌器３０１は、そもそも餌排出筒状体２０４を有しないから、このような虞れは全くなく、粉状、粒状いずれの餌Ａをもスムーズに流出させることができる。
【００６５】
図１９に示すものは、本発明の他実施例の養豚用給餌器３３１であるが、餌排出機構３３２において、餌排出筒状体２３４を有さず、よって、連結片１５，１５，１５をも有さない以外は、養豚用給餌器２３１と同様の構成である。よって、同様の構成部材については、養豚用給餌器２３１におけると同一の符号を使用する。
【００６６】
養豚用給餌器３３１を使用する際の仕切板２３３の位置設定の方法、及び、豚が鼻、口により懸垂杆４５を押圧して揺動させた場合の作用、効果は、養豚用給餌器３０１におけると同様である。
【００６７】
図２０に示すものは、本発明の他実施例の養豚用給餌器３５１であるが、餌排出機構３５２において、餌排出規制板６４を有さず、代わりに、懸垂杆６２の下端部にＵ字型の作用杆３５３を固着した以外は、養豚用給餌器２５１と同様の構成である。よって、同様の構成部材については、養豚用給餌器２５１におけると同一の符号を使用する。
【００６８】
養豚用給餌器３５１を使用する際の仕切板２５３の位置設定の方法、養豚用給餌器５１におけると略同様であり、豚が鼻、口により懸垂杆６２を押圧して揺動させた場合の作用、効果は、養豚用給餌器３０１におけると略同様である。
【００６９】
以上説明したように、本発明の養豚用給餌器によれば、ブリッジ及びそれに起因する巣（空間）も発生せず、しかも、仕切板の上下の圧力差及び餌の振動により、仕切板と給餌槽の内壁面との間隙から、又は仕切板に形成された小孔から、餌はスムーズに下方に流動し、落下する。
よって、下端開口において餌が詰まったり、ボタ落ちすることなく、適量の餌を良好に排出することができ、頻繁に給餌槽の下端部等を清掃する必要がない。
【００７０】
又、傾斜面を有する仕切板を設けた養豚用給餌器によれば、仕切板上に餌が残存することはなく、給餌槽内の餌を無駄なく使用するとができるとともに、仕切板の上方にある餌の重量が傾斜面方向に分散されて、餌排出筒状体をより小さな力で揺動させることができ、餌をよりスムーズに排出させることができる。
【００７１】
さらに、餌排出筒状体の下端部に所定間隔で切欠を形成した養豚用給餌器によれば、餌排出筒状体内に流入した餌をよりスムーズに流出させるとともに、餌排出筒状体の下端内部で例え餌が凝固したとしても、切欠が凝固した餌を掻き出す作用を奏し、餌排出口を閉塞させない。
【００７２】
又、餌排出筒状体、餌排出規制板を有しない養豚用給餌器によれば、相当長期に渡って使用しても、餌排出筒状体、餌排出規制板の下端内部に餌Ａが堆積し、豚の唾液、水等により餌Ａが凝固して固着する虞れは全くなく、粉状、粒状いずれの餌をもスムーズに流出させることができる。
【００７３】
しかも、本発明の養豚用給餌器は、餌排出機構が仕切板等僅か数点の部品より構成されるものであるから、構造は極めて簡単で、製造コストも安価である。
【図面の簡単な説明】
【図１】本発明の一実施例の養豚用給餌器の斜視図である。
【図２】図１の養豚用給餌器の要部断面図である。
【図３】図１の養豚用給餌器の餌排出量調整機構の説明図である。
【図４】本発明の他実施例の養豚用給餌器の斜視図である。
【図５】本発明の他実施例の養豚用給餌器の斜視図である。
【図６】図５の養豚用給餌器の（Ａ）は餌排出口が比較的狭い場合、（Ｂ）は比較的広い場合における餌排出規制板の作用を示す説明図である。
【図７】本発明の他実施例の養豚用給餌器の斜視図である。
【図８】図７の養豚用給餌器の要部断面図である。
【図９】本発明の他実施例の養豚用給餌器の斜視図である。
【図１０】図９の養豚用給餌器の要部断面図である。
【図１１】本発明の他実施例の養豚用給餌器の斜視図である。
【図１２】本発明の他実施例の養豚用給餌器の斜視図である。
【図１３】図１２の養豚用給餌器の要部断面図である。
【図１４】図１２の養豚用給餌器の餌排出筒状体の斜視図である。
【図１５】本発明の他実施例の養豚用給餌器の斜視図である。
【図１６】本発明の他実施例の養豚用給餌器の斜視図である。
【図１７】本発明の他実施例の養豚用給餌器の斜視図である。
【図１８】図１７の養豚用給餌器の要部断面図である。
【図１９】本発明の他実施例の養豚用給餌器の斜視図である。
【図２０】本発明の他実施例の養豚用給餌器の斜視図である。
【図２１】従来の養豚用給餌器の断面図である。
【符号の説明】
１  養豚用給餌器
３  給餌槽
４  餌排出機構
１３  懸垂杆
１４  仕切板
１６  餌排出筒状体
１０１  養豚用給餌器
１０２  餌排出機構
１０３  仕切板
１０４ａ  小孔
１０５ａ  小孔
２０１  養豚用給餌器
２０３  仕切板
２０４  餌排出筒状体
２０５  切欠
３０１  養豚用給餌器
３０２  餌排出機構
【図１】
0003981507.tif 000002
【図２】
0003981507.tif 000003
【図３】
0003981507.tif 000004
【図４】
0003981507.tif 000005
【図５】
0003981507.tif 000006
【図６】
0003981507.tif 000007
【図７】
0003981507.tif 000008
【図８】
0003981507.tif 000009
【図９】
0003981507.tif 000010
【図１０】
0003981507.tif 000011
【図１１】
0003981507.tif 000012
【図１２】
0003981507.tif 000013
【図１３】
0003981507.tif 000014
【図１４】
0003981507.tif 000015
【図１５】
0003981507.tif 000016
【図１６】
0003981507.tif 000017
【図１７】
0003981507.tif 000018
【図１８】
0003981507.tif 000019
【図１９】
0003981507.tif 000020
【図２０】
0003981507.tif 000021
【図２１】
0003981507.tif 000022